(57)【特許請求の範囲】
【請求項１】
自家用受電設備内で電源側ケーブルと需要家引込ケーブルとの間に接続され、かつ、計器用変圧器素子及び変流器素子を筐体に一体的に収納してなる計器用変圧変流器において、
接触子棒にカバーを周設し絶縁樹脂にて一体的にモールドされたブッシングからなる電源側接触子と、
接触子棒にカバーを周設し絶縁樹脂にて一体的にモールドされたブッシングからなる負荷側接触子と、
を備え、
地中から立ち上がる前記電源側ケーブルの端部に設けられた接触子に嵌合するように下側に向けて前記筐体の外表部の前側に電源側接触子を配置し、また、上側から垂れ下がる前記需要家引込ケーブルの端部に設けられた接触子に嵌合するように上側に向けて前記筐体の外表部の後側に負荷側接触子を配置し、前記電源側接触子と前記負荷側接触子とを側面から見て略対角位置とすることを特徴とする計器用変圧変流器。
【請求項２】
請求項１記載の計器用変圧変流器において、
固体導体が各相ごとに絶縁して平行配置され、かつ水平部の両端部に曲設された垂直部の先端に接触子を一体的にモールドしてなる需要家引込ケーブルの接触子に対し、前記負荷側接触子が嵌合可能であることを特徴とする計器用変圧変流器。
【請求項３】
請求項２記載の計器用変圧変流器において、
前記負荷側接触子は、絶縁樹脂にて一体的にモールドされた需要家引込ケーブルの接触子に嵌合可能であることを特徴とする計器用変圧変流器。
【発明の詳細な説明】
【０００１】
【発明の属する技術分野】
本発明は計器用変圧変流器に関し、詳しくは、自家用受電設備の引込口に需要家引込機器と隣接して設置される計器用変圧変流器の接続構造に関する。
【０００２】
【従来の技術】
図５は、電力会社の架空配電線から自家用受電設備が受電する場合の全体構成を示したものである。
図５の上段において、１０１は架空配電線、１０２は引込開閉器、１０３は引込線、１０４は地絡保護装置付高圧区分開閉器（架空線用ＧＲ付高圧区分開閉器：ＧＲ付ＰＡＳ）、１０５は地中ケーブル、２００は自家用受電設備、ＶＣＴ（Ｖｏｌｔａｇｅ  Ｃｕｒｒｅｎｔ  Ｔｒａｎｓｆｏｒｍｅｒの略称）は計器用変圧変流器、２０１は遮断器、２０２はコンデンサ、２０３はトランスである。
また、図５の下段は他の受電態様を示すもので、１０５Ａ，１０５Ｂは地中ケーブル、１０６は高圧キャビネット、１０７はキャビネット１０６内の電力会社側回路、１０８は需要家側回路、１０９は地絡保護装置付高圧区分開閉器（地中線用ＧＲ付高圧区分開閉器：ＧＲ付ＵＧＳ）を示す。
【０００３】
何れの態様でも、計器用変圧変流器ＶＣＴは、電力会社の架空または地中配電線からの自家用受電設備２００への引込口に設置され、その一次側が母線に接続されて母線の電圧、電流を公称変成比に忠実に変成し、その二次側から電力量計等の計量機器に低電圧、定電流を供給して電力会社と需要家との電力料金取引に供されるものである。
例えば６．６ｋＶ高圧需要家では、図６の電気的結線図の如く、母線の電源側及び負荷側の一次側ブッシングＵＫ，ＶＫ，ＷＫ，ＵＬ，ＶＬ，ＷＬに接続される各２台の計器用変圧器素子ＶＴ及び変流器素子ＣＴと、電力量計等の計量機器に接続される二次側端子箱２０４とを備え、これらを筐体２０５に一体的に収納した構造の計器用変圧変流器ＶＣＴが標準的な機器として設置されている。
【０００４】
【発明が解決しようとする課題】
ところが、計器用変圧変流器ＶＣＴの一次側ブッシングの口出し絶縁ケーブルと母線との接続作業を、需要家側の配電盤やキュービクル、或いは需要家変電所等のスペース的制約の多い受電設備空間内で行うことは一般に困難である。
また、母線が絶縁電線である場合、図７に示す如くケーブルヘッド１１０，２０６を介在させて計器用変圧変流器ＶＣＴと接続する必要があり、設備コストの上昇を招いていた。更に、計器用変圧変流器ＶＣＴの電源側及び負荷側の一次側ブッシングの口出し絶縁ケーブル１１１，１１２もある程度の曲率をもって母線と接続するので、受電設備の省スペース化にも障害となっている。
【０００５】
そこで、本発明は、計器用変圧変流器の設置作業、特に一次側ブッシングの口出し絶縁ケーブルの接続固定（くせ取り）等の作業性を改善すると共に、ケーブルヘッドを不要にして設備コストの低減を可能にした計器用変圧変流器を提供しようとするものである。
【０００６】
【課題を解決するための手段】
上記課題を解決するため、請求項１記載の発明は、自家用受電設備内で電源側ケーブルと需要家引込ケーブルとの間に接続され、かつ、計器用変圧器素子及び変流器素子を筐体に一体的に収納してなる計器用変圧変流器において、
接触子棒にカバーを周設し絶縁樹脂にて一体的にモールドされたブッシングからなる電源側接触子と、
接触子棒にカバーを周設し絶縁樹脂にて一体的にモールドされたブッシングからなる負荷側接触子と、
を備え、
地中から立ち上がる前記電源側ケーブルの端部に設けられた接触子に嵌合するように下側に向けて前記筐体の外表部の前側に電源側接触子を配置し、また、上側から垂れ下がる前記需要家引込ケーブルの端部に設けられた接触子に嵌合するように上側に向けて前記筐体の外表部の後側に負荷側接触子を配置し、前記電源側接触子と前記負荷側接触子とを側面から見て略対角位置とすることを特徴とするものである。
【０００７】
また、請求項２記載の発明は、請求項１記載の計器用変圧変流器において、
固体導体が各相ごとに絶縁して平行配置され、かつ水平部の両端部に曲設された垂直部の先端に接触子を一体的にモールドしてなる需要家引込ケーブルの接触子に対し、前記負荷側接触子が嵌合可能であることを特徴とする。
【０００８】
また、請求項３記載の発明は、請求項２記載の計器用変圧変流器において、
前記負荷側接触子は、絶縁樹脂にて一体的にモールドされた需要家引込ケーブルの接触子に嵌合可能であることを特徴とする。
【０００９】
【発明の実施の形態】
以下、図に沿って本発明の実施形態を説明する。
ここでは、本実施形態の計器用変圧変流器ＶＣＴが、需要家引込機器として、ガス開閉器本体及びＳＯＧ制御装置からなる地中線用ＧＲ付区分開閉器（ＧＲ付ＵＧＳ）１０９と共に設置される例を、図１に概略構成、図２に実装状態として示す。
【００１０】
これらの図において、計器用変圧変流器ＶＣＴの筐体３０３の外表部には、電源側接触子３０１、負荷側接触子３０２が設けられている。上記電源側接触子３０１は、地中から引き込まれた電源側ケーブル４０１の接触子と嵌合し、負荷側接触子３０２は、需要家引込ケーブル４０２の接触子と嵌合することにより、計器用変圧変流器ＶＣＴが母線と需要家引込機器との間に接続される。
需要家引込ケーブル４０２の他端は、図１に示すように需要家引込機器としてのＧＲ付ＵＧＳ１０９の電源側接触子に接続され、その負荷側接触子から需要家電気設備用として絶縁ケーブル等（図示せず）が配線されている。また、需要家引込ケーブル４０２には分岐用端子が設けられており、多回路に対応している。
【００１１】
そして、図２に示すように、需要家引込ケーブル４０２は、３相導体を各相ごとに絶縁して平行配置され、水平部４０２Ａとその両端に曲設された垂直部４０２Ｂとから構成されている。
上記垂直部４０２Ｂの先端には前記負荷側接触子３０２やＧＲ付ＵＧＳ１０９の電源側ブッシングに嵌合する接触子４０２Ｃが設けられ、エポキシ樹脂等の絶縁樹脂或いは絶縁ゴムで一体的にモールドされている。これにより、絶縁距離の短縮が図られ、また、需要家引込ケーブル４０２の全体が接続作業性に優れた固体絶縁導体として機能するようになっている。
【００１２】
図３は、計器用変圧変流器ＶＣＴの電源側接触子３０１と負荷側接触子３０２との配置構成を示す概略図である。
同図（ｂ）から明らかな如く、各接触子３０１，３０２は略対角位置に配置されているので、地中から立ち上がる電源側ケーブル４０１と需要家引込ケーブル４０２との各接触子３０１，３０２への接続が容易であり、また、受電設備空間のデッドスペースをなくすことができる。
【００１３】
図４は、電源側接触子３０１または負荷側接触子３０２と、これらに嵌合する電源側ケーブル４０１または需要家引込ケーブル４０２の各接触子との接続状態を示す断面図であり、図では、一例として負荷側接触子３０２とこれに嵌合する需要家引込ケーブル４０２の接触子４０２Ｃとの接続状態を示してある。
【００１４】
図４において、負荷側接触子３０２は、エポキシ樹脂等の絶縁樹脂或いは絶縁ゴムにより接触子棒３０２ａにカバー３０２ｂを周設した一体モールドブッシングであり、また、需要家引込ケーブル４０２の接触子４０２Ｃも、接触子棒４０３ａと板ばねまたはチューリップコンタクタ４０３ｃの周囲にカバー４０３ｂが周設されている。これらの接触子３０１，４０２Ｃの双方は、嵌合によって確実強固に接続される。
【００１５】
上記構造によれば、各カバー３０１ｂ，４０３ｂの形状、寸法を適宜調整することによって接触子３０１，４０２Ｃ同士の嵌合がし易くなり、接続作業が確実容易に行えるほか、接触子３０１，４０２Ｃ同士が接続された状態では充電部が絶縁樹脂或いは絶縁ゴム製のカバー３０１ｂ，４０３ｂによって覆い隠されることになり、雰囲気の悪い場所に設置しても汚損で絶縁劣化するおそれも少なくなる。
なお、電源側接触子３０１とこれに嵌合する電源側引込ケーブル４０１の接触子の構造も図４と同様である。
【００１６】
なお、上記実施形態では、需要家引込機器としてＧＲ付ＵＧＳが接続される例を説明したが、本発明は、負荷側にＧＲ付ＵＧＳ以外の各種の需要家引込機器が接続される場合に適用可能である。
【００１７】
【発明の効果】
以上のように本発明によれば、計器用変圧変流器の設置作業、特に母線が絶縁ケーブルの場合であっても、計器用変圧変流器の一次側口出し絶縁ケーブルの接続固定（くせ取り）作業等の煩雑な手間を削減し、作業性を大幅に改善することができる。また、ケーブルヘッドが不要になるので、設備コストの低減も可能である。
【図面の簡単な説明】
【図１】本発明の実施形態における計器用変圧変流器の設置例を示す概略構成図である。
【図２】本発明の実施形態における計器用変圧変流器の実装図である。
【図３】本発明の実施形態における計器用変圧変流器の電源側接触子及び負荷側接触子の配置構成を示す概略図である。
【図４】本発明の実施形態における負荷側接触子と、これに嵌合する需要家引込ケーブルの接触子との接続状態を示す断面図である。
【図５】電力会社の架空配電線から自家用受電設備が受電する場合の全体構成を示す図である。
【図６】計器用変圧変流器の電気的結線図である。
【図７】ケーブルヘッドを使用した接続構成図である。
【符号の説明】
ＶＣＴ  計器用変圧変流器
ＶＴ  計器用変圧器素子
ＣＴ  変流器素子
１０９  地中線用ＧＲ付高圧区分開閉器（ＧＲ付ＵＧＳ）
３０１    電源側接触子
３０２  負荷側接触子
３０２ａ  接触子棒
３０２ｂ  カバー
３０３  筐体
４０１  電源側ケーブル
４０２    需要家引込ケーブル
４０２Ａ  水平部
４０２Ｂ  垂直部
４０２Ｃ    接触子
４０３ａ  接触子棒
４０３ｂ  カバー
４０３ｃ  板ばねまたはチューリップコンタクタ
【図１】
0003627959.tif 000002
【図２】
0003627959.tif 000003
【図３】
0003627959.tif 000004
【図４】
0003627959.tif 000005
【図５】
0003627959.tif 000006
【図６】
0003627959.tif 000007
【図７】
0003627959.tif 000008